(57)【要約】【課題】利便性を向上させることができる加熱調理器を提供する。【解決手段】加熱調理器は、ケーシングと、ケーシング内に設けられ、食材を収容する加熱庫と、食材を加熱調理するための蒸気加熱ヒータ４と、食材に対応するメニューを表示するカラー液晶表示部３６と、ユーザがメニューを選択するために操作するダイヤルと、カラー液晶表示部３６の表示を制御する制御部５とを備える。制御部５は、ユーザがメニューを選択したときに、メニューと同時に仕上げることが可能な他のメニューをカラー液晶表示部３６に複数表示させる。【選択図】図４
2011075147.tif 000002
【特許請求の範囲】
【請求項１】
ケーシングと、
上記ケーシング内に設けられ、食材を収容する加熱庫と、
上記食材を加熱調理するための加熱部と、
上記食材に対応するメニューを表示する表示部と、
ユーザが上記メニューを選択するために操作する操作部と、
上記表示部の表示を制御する制御部と
を備え、
上記制御部は、ユーザが上記メニューを選択したときに、上記メニューと同時に仕上げることが可能な他のメニューを上記表示部に複数表示させることを特徴とする加熱調理器。
【請求項２】
請求項１に記載の加熱調理器において、
上記制御部は、
ユーザが選択した上記メニューを仕上げるための第１加熱処理時間と、ユーザが選択した上記他のメニューを仕上げるための第２加熱処理時間とを比較して互いに異なるか否かを判定する比較判定部と、
上記比較判定部によって上記第１加熱処理時間および上記第２加熱処理時間が互いに異なると判定されたときに、上記加熱庫内の空間の一部分と上記加熱庫内の空間の他の部分との間に温度差を生じさせる温度差発生部と
を有することを特徴とする加熱調理器。
【発明の詳細な説明】
【技術分野】
【０００１】
本発明は加熱調理器に関する。
【背景技術】
【０００２】
従来、加熱調理器としては、特開２００８−５７８０１号公報（特許文献１）に記載されているように、ケーシングと、このケーシング内に設けられ、前面側に開口部を有する加熱室と、この加熱庫の開口部を開閉する開閉扉と、この開閉扉の前面の下部に設けられた操作パネルとを備えている。
【０００３】
上記操作パネルは、複数のメニューを表示する表示部と、この表示部近傍に回転自在に設けられたダイヤルとを有している。ユーザは、そのダイヤルを回転操作して、表示部に表示される複数のメニューから一つを選択できるようになっている。
【０００４】
このような加熱調理器には、互いに異なる２種類のメニュー（例えば主菜と副菜）を同時に加熱調理するセットメニューを使えるものがある。このセットメニューの組み合わせは、予め決められて固定されている。
【０００５】
このように、上記セットメニューの組み合わせが固定されていると、セットメニューを構成する一方のメニューの食材があっても、セットメニューを構成する他方のメニューの食材がないため、そのセットメニューは使用できないことがある。
【０００６】
その結果、上記セットメニューは使い難く、利便性が低いという問題が生じていた。
【先行技術文献】
【特許文献】
【０００７】
【特許文献１】特開２００８−５７８０１号公報
【発明の概要】
【発明が解決しようとする課題】
【０００８】
そこで、本発明の課題は、利便性を向上させることができる加熱調理器を提供することにある。
【課題を解決するための手段】
【０００９】
上記課題を解決するため、本発明の加熱調理器は、
ケーシングと、
上記ケーシング内に設けられ、被加熱物を収容する加熱庫と、
上記被加熱物を加熱調理するための加熱部と、
上記被加熱物に対応するメニューを表示する表示部と、
ユーザが上記メニューを選択するために操作する操作部と、
上記表示部の表示を制御する制御部と
を備え、
上記制御部は、ユーザが上記メニューを選択したときに、上記メニューと同時に仕上げることが可能な他のメニューを上記表示部に複数表示させることを特徴としている。
【００１０】
上記構成の加熱調理器によれば、上記制御部は、ユーザがメニューを選択したときに、そのメニューと同時に仕上げることが可能な他のメニューを表示部に複数表示させるので、ユーザは、表示部に表示された複数の他のメニューから、手持ちの食材を使えるメニューを選択することができる。
【００１１】
したがって、上記メニューの組み合わせの自由度が高くなるので、利便性を向上させることができる。
【００１２】
一実施形態の加熱調理器では、
上記制御部は、
ユーザが選択した上記メニューを仕上げるための第１加熱処理時間と、ユーザが選択した上記他のメニューを仕上げるための第２加熱処理時間とを比較して互いに異なるか否かを判定する比較判定部と、
上記比較判定部によって上記第１加熱処理時間および上記第２加熱処理時間が互いに異なると判定されたときに、上記加熱庫内の空間の一部分と上記加熱庫内の空間の他の部分との間に温度差を生じさせる温度差発生部と
を有する。
【００１３】
上記実施形態の加熱調理器によれば、上記温度差発生部は、比較判定部によって上記第１加熱処理時間および上記第２加熱処理時間が互いに異なると判定されたときに、加熱庫内の空間の一部分と上記加熱庫内の空間の他の部分との間に温度差を生じさせるので、ユーザが選択したメニューと、ユーザが選択した他のメニューとを、第１加熱処理時間および第２加熱処理時間の一方の時間、または、共通の他の時間で仕上げることができる。
【００１４】
したがって、上記ユーザが選択したメニューと、ユーザが選択した他のメニューとを同時に仕上げることができるので、利便性をさらに向上させることができる。
【発明の効果】
【００１５】
本発明の加熱調理器によれば、制御部は、ユーザがメニューを選択したときに、そのメニューと同時に仕上げることが可能な他のメニューを表示部に複数表示させることによって、メニューの組み合わせの自由度が高くなるので、利便性を向上させることができる。
【図面の簡単な説明】
【００１６】
【図１】図１は本発明の一実施形態の加熱調理器の外観斜視図である。
【図２】図２は上記加熱調理器の概略構成図である。
【図３】図３は上記実施形態の操作パネルの概略図である。
【図４】図４は上記実施形態の加熱調理器の制御ブロック図である。
【図５】図５は上記実施形態の制御部の制御動作を説明するためのフローチャートである。
【図６】図６は上記実施形態の制御部の制御動作を説明するためのフローチャートである。
【発明を実施するための形態】
【００１７】
以下、本発明の加熱調理器を図示の実施の形態により詳細に説明する。
【００１８】
図１は、本発明の一実施形態の加熱調理器の外観斜視図である。
【００１９】
上記加熱調理器では、直方体形状のケーシング１の正面に、下端側の辺を略中心に回動する扉３４が取り付けられている。この扉３４の右側には操作パネル３５を設けている。また、扉３４の上部にはハンドル３７を取り付けると共に、扉３４の略中央には耐熱ガラス３８を取り付けている。
【００２０】
上記操作パネル３５は、カラー液晶表示部３６、ボタン群４５およびダイヤル４６を有している。なお、カラー液晶表示部３６は表示部の一例であり、ダイヤル４６は操作部の一例である。
【００２１】
図２は上記加熱調理器の概略構成図である。
【００２２】
上記加熱調理器は、ケーシング１と、ケーシング１内に設けられた加熱庫２と、蒸気を発生させる蒸気発生装置３と、蒸気発生装置３からの水蒸気を加熱して過熱水蒸気にする蒸気加熱ヒータ４と、蒸気発生装置３や蒸気加熱ヒータ４などの動作を制御する制御部５とを備えている。ここで、上記過熱水蒸気とは、１００℃以上の過熱状態にまで加熱された水蒸気を意味する。なお、蒸気加熱ヒータ４は加熱部の一例である。
【００２３】
上記加熱庫２は、扉３４で開閉される開口部を正面側に有する。また、加熱庫２の側面、底面および天面はステンレス鋼板からなっている。ユーザは、その開口部を通して、加熱庫２に食材１０を入れたり、加熱庫２から食材１０を出したりする。また、加熱庫２の周囲には断熱材（図示せず）を配置して、加熱庫２内と外部とを断熱している。
【００２４】
また、上記加熱庫２内には、加熱庫２の底面から所定の間隔をあけて鉄などの金属製あるいはセラミックス製のトレイ６が置かれている。トレイ６は、加熱庫２の左右の側壁に設けられた下受け棚１１により支持されている。そして、トレイ６上には、鉄などの金属製の調理網７が載置され、その調理網７の略中央に食材１０が置かれる。こうして、食材１０は、加熱庫２の底面から間隔をあけた状態で加熱庫２内に収容されている。
【００２５】
また、上記加熱庫２の左右の側壁には、下受け棚１１よりも上側に位置する中受け棚１２と、中受け棚１２よりも上側に位置する上受け棚１３とが設けられている。中受け棚１２および上受け棚１３も、下受け棚１１と同様に、トレイ６を支持することが可能である。
【００２６】
上記蒸気発生装置３は、蒸気発生部３９と、蒸気発生部３９に供給する水が入る給水タンク４０と、蒸気発生部３９内に設置され、蒸気発生部３９内に溜まった水を加熱して蒸発させる水加熱ヒータ４１と、電磁弁４９とを有している。その水加熱ヒータ４１はシーズヒータを渦巻状に巻いたものである。
【００２７】
上記電磁弁４９が開放すると、給水タンク４０内の水が蒸気発生部３９内に流入し、また、電磁弁４９が閉鎖すると、給水タンク４０から蒸気発生部３９への水の移動ができなくなる。また、蒸気発生部３９には水位センサ（図示せず）が設けられており、この水位センサの検出値に応じて、電磁弁４９が開閉するようになっている。
【００２８】
上記給水タンク４０は、蒸気発生部３９に対して着脱可能となっており、正面側からケーシング１外に取り出せるようになっている。
【００２９】
上記蒸気発生部３９の底部には排水弁４２が取り付けられ、この排水弁４２に排水経路１４の一方の端部が接続されている。排水経路１４の他方の端部はつゆ受け９上に位置している。つゆ受け９は、ケーシング１に着脱可能となっており、正面側からケーシング１外に取り出せる。
【００３０】
また、上記加熱庫２の一方の側面においては、上受け棚１３と中受け棚１２との間に循環吸気口１５が設けられている。そして、加熱庫２の上面には、蒸気加熱ヒータ４に対向するように第１噴出口１６が設けられている。さらに、加熱庫２の他方の側面には第２，第３噴出口１７，１８が設けられている。第２噴出口１７は上受け棚１３と中受け棚１２との間に位置している。一方、第３噴出口１８は中受け棚１２と下受け棚１１との間に位置している。このような循環吸気口１５、第１噴出口１６、第２噴出口１７および第３噴出口１８により、加熱庫２内の空間と循環経路８内の空間とが互いに連通している。
【００３１】
上記循環経路８は、一端部が循環吸気口１５に接続されていると共に、他端部が第２噴出口１７および第３噴出口１８に接続されている。循環吸気口１５近傍の循環ファン１９は、循環吸気口１５から加熱庫２内の水蒸気を吸い込み、蒸気加熱ヒータ４に向けて吹き出す。そして、上記水蒸気は、蒸気加熱ヒータ４で加熱されて過熱水蒸気となった後、第１噴出口１６および第２，第３噴出口１７，１８から、加熱庫２内に向かって噴出する。
【００３２】
また、上記循環経路８の循環吸気口１５近傍の部分は、蒸気放出経路２０を介して蒸気発生部３９に接続されている。これにより、蒸気発生部３９で発生した水蒸気は、蒸気放出経路２０を流れて循環経路８に入り、循環吸気口１５からの水蒸気と合流して蒸気加熱ヒータ４へ向かって流れる。
【００３３】
また、上記加熱庫２内の余剰な蒸気は、第１，第２排気口２１，２２から加熱庫２外に流れ出る。
【００３４】
上記第１排気口２１には排気経路２３の一端部が接続されている。また、排気経路２３の他端部はエジェクタ２４を形成している。また、第１排気口２１は排気ダンパ２５で開閉可能にしている。
【００３５】
上記第２排気口２２には排気チューブ２６の一端部が接続されている。また、排気チューブ２６の他端部は排気経路２３に接続されている。これにより、排気チューブ２６内の蒸気は、排気経路２３内の蒸気と合流して、エジェクタ２４からケーシング１外に出ることができるようになっている。また、エジェクタ２４からケーシング１外へ向かう蒸気は、希釈空気経路２７および吸込ダクト２８からの空気と混ざって希釈できるようにもなっている。
【００３６】
上記希釈空気経路２７は、エジェクタ２４内に挿入された一端部と、ファンケーシング２９に接続さている他端部とを有する。このファンケーシング２９内の排気希釈ファン３０がエジェクタ２４へ空気を送る。また、ファンケーシング２９は給気経路３１を介して給気口３２に接続されている。そして、給気口３２は給気ダンパ３３で開閉可能にしている。
【００３７】
また、上記ケーシング１内には、マイクロ波を発生するマグネトロン５２も設置されている。
【００３８】
図３は、図１の操作パネル３５を拡大した概略図である。
【００３９】
上記カラー液晶表示部３６は、文字や写真をカラー表示できるものであり、加熱の種類や加熱時間などを表示する。また、カラー液晶表示部３６は、食材１０に対応するメニューを表示する。ユーザは、ダイヤル４６および決定ボタン４７を操作して、そのメニューを選択できるようになっている。
【００４０】
上記ダイヤル４６は略円筒形状で操作パネル３５に対して回転自在となっている。このダイヤル４６の径方向内側には決定ボタン４７を配置している。例えば、ユーザはダイヤル４６を回すことにより、カラー液晶表示部３６に表示される複数のメニューアイコンから１つを選択できるようになっている。
【００４１】
上記ボタン群４５は、戻るボタン９１、取り消しボタン９２、メニューボタン９３およびスタートボタン９４で構成されている。戻るボタン９１は、カラー液晶表示部３６の画面表示を直前の画面表示に戻すときに押す。また、取り消しボタン９２は、途中で加熱をやめるときや、操作を取り消すときに押す。そして、メニューボタン９３は、カラー液晶表示部３６を初期状態に戻すときに押す。
【００４２】
また、上記操作パネル３５の裏側つまり内部側にはロータリエンコーダ４８を配置している。このロータリエンコーダ４８は、ダイヤル４６の回転速度および回転量を検出すると共に、ダイヤル４６の回転速度および回転量を示す信号を制御部５（図４参照）へ出力する。
【００４３】
図４は上記加熱調理器の制御ブロック図である。
【００４４】
上記加熱調理器は、ＣＰＵ（中央処理装置）１４９、タイマー５０、記憶部５１および入出力回路などからなる制御部５を備えている。
【００４５】
上記制御部５は、ボタン群４５からの信号と、決定ボタン４７からの信号と、ロータリエンコーダ４８からの信号（ダイヤル４６の回転速度および回転量を示す信号）と、タイマ５０が計測する時間とに基づいて、カラー液晶表示部３６の表示を制御する。また、制御部５は、ユーザがメニューを選択したときに、そのメニューと同時に仕上げることが可能な他のメニューをカラー液晶表示部３６に複数表示させる。つまり、セットメニューを構成すべき一方のメニューがユーザに選択されると、セットメニューを構成すべき他方のメニューの候補がカラー液晶表示部３６に複数表示される。ここで、上記セットメニューとは、互いに異なる２種類のメニューを同時に仕上げることができるメニューである。
【００４６】
上記記憶部５１には、カラー液晶表示部３６の画面表示に関するデータや、制御プログラムなどを予め記憶させている。この制御プログラムは、制御部５が蒸気加熱ヒータ４、循環ファン１９、水加熱ヒータ４１およびマグネトロン５２などを制御するためのものである。
【００４７】
図５，図６は、上記セットメニューに関する制御部５の制御動作を説明するためのフローチャートである。
【００４８】
以下、図５，図６にしたがって、上記カラー液晶表示部３６に対する制御部５の制御動作について説明する。
【００４９】
まず、図５に示すように、ステップＳ１で、ユーザが、セットメニューを構成すべき一方のメニューを選択したか否かを判定する。このステップＳ１で、上記一方のメニューが選択されたと判定すると、次のステップＳ２に進む。一方、ステップＳ１で、一方のメニューが選択されていないと判定すると、再びステップＳ１を行う。つまり、ステップＳ１は、上記一方のメニューが選択されたと判定されるまで繰り返される。ここで、上記一方のメニューとは、中受け棚１２に支持されるトレイ６上の被加熱物１０に対応するメニューを指す。
【００５０】
次に、ステップＳ２で、セットメニューを構成すべき他方のメニューの候補をカラー液晶表示部３６に複数表示させる。ここで、上記他方のメニューとは、下受け棚１１に支持されるトレイ６上の被加熱物１０に対応するメニューを指す。
【００５１】
次に、ステップＳ３で、ユーザが、上記複数の他方のメニューの中から一つの他方のメニューを選択したか否かを判定する。このステップＳ３で、上記一つの他方のメニューが選択されたと判定すると、次のステップＳ４に進む。一方、ステップＳ３で、上記一つの他方のメニューが選択されていないと判定すると、再びステップＳ３を行う。つまり、ステップＳ３は、上記一つの他方のメニューが選択されたと判定するまで繰り返される。
【００５２】
次に、ステップＳ４で、ユーザが選択した一方のメニューの加熱処理時間が、ユーザが選択した他方のメニューの加熱処理時間と異なるか否かを判定する。このステップＳ４で、上記一方のメニューの加熱処理時間が上記他方のメニューの加熱処理時間と異ならないと判定すると、ステップＳ５に進む。一方、ステップＳ４で、上記一方のメニューの加熱処理時間が上記他方のメニューの加熱処理時間と異なると判定すると、ステップＳ６に進む。ここで、上記加熱処理時間とは、各メニューを単独で仕上げるのに要する時間を指す。なお、ステップＳ４は比較判定部の一例である。また、上記一方のメニューの加熱処理時間が第１加熱処理時間の一例である。また、上記他方のメニューの加熱処理時間が第２加熱処理時間の一例である。
【００５３】
上記ステップＳ５では、温度差制御を行わずに加熱調理を行う。より詳しくは、加熱庫２内の上側空間温度（中受け棚１２よりも上側の空間温度）が、加熱庫２内の下側空間温度（下受け棚１１と中受け棚１２との間の空間温度）と略同じになるようにした状態で、加熱調理を行う。
【００５４】
上記ステップＳ６では、温度差制御を行って加熱調理を行う。より詳しくは、上記上側空間温度が上記下側の空間温度と異なるようにした状態で、加熱調理を行う。
【００５５】
例えば、上記一方のメニューの加熱処理時間が、上記他方のメニューの加熱処理時間よりも長い場合、循環ファン１９の回転数を下げて、上記上側空間温度を上記下側空間温度よりも高くする。この場合、上記一方のメニューおよび他方のメニューは、他方のメニューの加熱処理時間で同時に仕上げることができる。
【００５６】
逆に、上記他方のメニューの加熱処理時間が、上記一方のメニューの加熱処理時間よりも長い場合、循環ファン１９の回転数を上げて、上記下側空間温度を上記上側空間温度よりも高くする。この場合、上記一方のメニューおよび他方のメニューは、一方のメニューの加熱処理時間で同時に仕上げることができる。
【００５７】
なお、ステップＳ６は温度差発生部の一例である。
【００５８】
最後に、図６に示すように、ステップＳ７で、加熱処理開始からの経過時間が、上記一方のメニューおよび他方のメニューを同時に仕上げるための加熱処理時間になったか否かを判定する。このステップＳ７で、加熱処理開始からの経過時間が上記加熱処理時間になったと判定すると、制御部５の制御動作が終了する。一方、ステップＳ７で、加熱処理開始からの経過時間が上記加熱処理時間になっていないと判定すると、再びステップＳ７を繰り返す。つまり、ステップＳ７は、加熱処理開始からの経過時間が上記加熱処理時間になったと判定するまで繰り返される。
【００５９】
このように、上記制御部５は、ユーザがセットメニューの一方のメニューを選択したときに、その一方のメニューと同時に仕上げることが可能な他のメニューをカラー液晶表示部３６に複数表示させるので、ユーザは、カラー液晶表示部３６に表示された複数の他のメニューから、手持ちの食材を使えるメニューを選択することができる。
【００６０】
したがって、上記セットメニューの自由度が高くなるので、利便性を向上させることができる。
【００６１】
また、上記ステップＳ５で、ユーザが選択した一方のメニューが、ユーザが選択した他方のメニューと異なる加熱処理時間であると判定すると、ステップＳ６で、加熱庫２内の上記上側空間温度が加熱庫２内の上記下側空間温度と異なるようにして、加熱調理を行うので、これらの２つのメニューを同時に仕上げることができる。
【００６２】
上記実施形態において、カラー液晶表示部３６に換えて、例えば、カラー表示可能なカラーＥＬ（エレクトロルミネッセンス）表示部を用いてもよいし、あるいは、白黒表示のみ行う表示部を用いてもよい。
【００６３】
上記実施形態では、ダイヤル４６を操作部の一例として用いていたが、例えば押しボタンまたはレバーなどを操作部の一例として用いてもよい。
【００６４】
上記実施形態において、加熱庫２内の左側空間温度と加熱庫２内の右側空間温度との間で温度差を生じさせるようにしてもよい。この場合、例えば、加熱庫２内の左側空間と加熱庫２内の右側空間との間を仕切る仕切部を設けて、加熱庫２内の左側空間に一方のメニューの食材１０を入れ、加熱庫２内の右側空間に他方のメニューの食材１０を入れるようにする。
【００６５】
上記実施形態では、循環ファン１９の回転数を上げ下げして、加熱庫２内の上記上側空間温度が加熱庫２内の上記下側空間温度と異なるようにしていたが、蒸気加熱ヒータ４およびマグネトロン５２の出力を制御して、加熱庫２内の上記上側空間温度が加熱庫２内の上記下側空間温度と異なるようにしてもよい。このようにする場合、例えば、加熱庫２内の上側の食材１０を蒸気加熱ヒータ４で加熱すると共に、加熱庫２内の下側の食材１０をマグネトロン５２で加熱するようにしてもよい。
【００６６】
上記実施形態では、加熱庫２の下側にヒータを配置してなかったが、加熱庫２の下側にヒータを配置してもよい。このようにする場合、上記ヒータおよび蒸気加熱ヒータ４の出力を制御して、加熱庫２内の上記上側空間温度が加熱庫２内の上記下側空間温度と異なるようにしてもよい。
【００６７】
上記実施形態のステップＳ６において、一方のメニューまたは他方のメニューの加熱処理時間で、一方のメニューおよび他方のメニューを同時に仕上げるようにしてもよいし、あるいは、共通の他の時間で、一方のメニューおよび他方のメニューを同時に仕上げるようにしてもよい。
【００６８】
上記実施形態では、加熱調理器に、過熱水蒸気および水蒸気を生成する機能を持たせていたが、加熱調理器に、水蒸気を生成する機能のみを持たせるようにしてもよい。
【００６９】
本発明は、例えば、過熱水蒸気を使用するオーブンレンジのみならず、過熱水蒸気を使用するオーブン、レンジまたはＩＨクッキングヒータ等の加熱調理器にも適用できるし、過熱水蒸気を使用しないオーブン、レンジ、オーブンレンジまたはＩＨクッキングヒータ等の加熱調理器にも適用できる。
【００７０】
本発明の加熱調理器では、クッキングヒータ（ＩＨヒータや電気ヒータなどの電気コンロまたはガスコンロを用いたもの含む）やオーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して無酸素状態となることにより、食品の酸化を抑制した調理が可能となる。
【符号の説明】
【００７１】
１  ケーシング
２  加熱庫
４  蒸気加熱ヒータ
５  制御部
３６  カラー液晶表示部
４６  ダイヤル
【図１】
2011075147.tif 000003
【図２】
2011075147.tif 000004
【図３】
2011075147.tif 000005
【図４】
2011075147.tif 000006
【図５】
2011075147.tif 000007
【図６】
2011075147.tif 000008